【手続補正書】
【提出日】平成24年12月12日(2012.12.12)
【手続補正１】
【補正対象書類名】特許請求の範囲
【補正対象項目名】全文
【補正方法】変更
【補正の内容】
【特許請求の範囲】
【請求項１】
複数の撮像装置のそれぞれが共通の撮像範囲を有する撮像システムにおいて，
上記複数の撮像装置のうちの第１の撮像装置を用いて連続的に被写体を撮像して，動画を表す動画データを出力するように上記第１の撮像装置を制御する動画撮像制御手段，
上記動画撮像制御手段の制御のもとに上記第１の撮像装置から出力された動画データによって表される動画に含まれる動体の画像部分を検出する動体検出手段，
上記動体検出手段によって動体の画像部分が検出されたことに応じて，上記複数の撮像装置のうちの第２の撮像装置を用いて静止画撮像をして静止画像を表す静止画データを出力するように上記第２の撮像装置を制御する静止画撮像制御手段，
上記静止画撮像制御手段の制御のもとに上記第２の撮像装置から出力された静止画像データによって表される静止画像の中から上記動体画像検出手段によって検出された動体の画像部分に対応する対応部分を除く静止部分を検出する静止部分検出手段，
上記動体画像検出手段による処理，上記静止画撮像制御手段による処理および上記静止部分検出手段による処理を繰り返すように上記動体画像検出手段，上記静止画撮像制御手段および上記静止部分検出手段を制御する制御手段，ならびに
上記制御手段の制御のもとに上記静止部分検出手段によって検出された複数の静止画の静止部分を合成して動体画像部分が除かれた１つの静止画を生成する静止画生成手段，
を備えた撮像システム。
【請求項２】
上記静止部分検出手段は，
上記静止画撮像制御手段の制御のもとに上記第２の撮像装置から出力された静止画像データによって表される静止画像の中から上記動体画像検出手段によって検出された動体の画像部分に対応する対応部分よりも大きい部分を除く部分を静止部分として検出するものである，
請求項１に記載の撮像システム。
【請求項３】
上記静止画撮像制御手段の制御のもとに最初に静止画撮像が行われたことにより上記第２の撮像装置から出力された静止画像データによって表される静止画像の中から上記静止部分検出手段によって検出された静止部分にもとづいて露出量を決定する第１の露出量決定手段をさらに備え，
上記制御手段は，
上記第１の露出量決定手段によって決定された露出量で静止画撮像を繰り返すように上記第２の撮像装置を制御するものである，
請求項１または２に記載の撮像システム。
【請求項４】
上記第２の撮像装置の前方に設けられた第１のフォーカス・レンズ，および
上記静止画撮像制御手段の制御のもとに最初に静止画撮像が行われたことにより上記第２の撮像装置から出力された静止画像データによって表される静止画像の中から上記静止部分検出手段によって検出された静止部分にもとづいて上記第１のフォーカス・レンズの合焦位置を決定する第１の合焦位置決定手段をさらに備え，
上記制御手段は，
上記第１の合焦位置決定手段によって決定された位置で静止画撮像を繰り返すように上記第２の撮像装置を制御するものである，
請求項１から３のうちいずれか一項に記載の撮像システム。
【請求項５】
上記静止画撮像制御手段の制御のもとに最初に静止画撮像が行われたことにより上記第２の撮像装置から出力された静止画像データによって表される静止画像の中から上記静止部分検出手段によって検出された静止部分にもとづいて白バランス・ゲインを決定する第１の白バランス・ゲイン決定手段，および
上記第２の撮像装置から出力された静止画データを，上記第１の白バランス・ゲイン決定手段によって決定された白バランス・ゲインで白バランス調整する第１の白バランス調整手段，
をさらに備えた請求項１から４のうちいずれか一項に記載の撮像システム。
【請求項６】
動画撮像用の露出量を決定する第２の露出量決定手段をさらに備え，
上記動画撮像制御手段は，
上記第２の露出量決定手段によって決定された露出量で固定して，連続的に被写体を撮像して動画を表す動画データを出力するように上記第１の撮像装置を制御するものである，
請求項１から５のうちいずれか一項に記載の撮像システム。
【請求項７】
上記第１の撮像装置の前方に設けられた第２のフォーカス・レンズ，および
上記第２のフォーカス・レンズの合焦位置を決定する第２の合焦位置決定手段をさらに備え，
上記動画撮像制御手段は，
上記第２の合焦位置決定手段によって決定された位置で固定して，連続的に被写体を撮像して動画を表す動画データを出力するように上記第１の撮像装置を制御するものである，
請求項１から６のうちいずれか一項に記載の撮像システム。
【請求項８】
動画データについての白バランス・ゲインを決定する白バランス・ゲイン決定手段，および
上記第１の撮像装置から出力された動画データを，上記第２の白バランス・ゲイン決定手段によって決定された白バランス・ゲインで白バランス調整する第２の白バランス調整手段，
をさらに備えた請求項１から７に記載の撮像システム。
【請求項９】
複数の撮像装置のそれぞれが共通の撮像範囲を有する撮像システムの動作制御方法において，
動画撮像制御手段が，上記複数の撮像装置のうちの第１の撮像装置を用いて連続的に被写体を撮像して，動画を表す動画データを出力するように上記第１の撮像装置を制御し，
動体検出手段が，上記動画撮像制御手段の制御のもとに上記第１の撮像装置から出力された動画データによって表される動画に含まれる動体の画像部分を検出し，
静止画撮像制御手段が，上記動体検出手段によって動体の画像部分が検出されたことに応じて，上記複数の撮像装置のうちの第２の撮像装置を用いて静止画撮像をして静止画像を表す静止画データを出力するように上記第２の撮像装置を制御し，
静止部分検出手段が，上記静止画撮像制御手段の制御のもとに上記第２の撮像装置から出力された静止画像データによって表される静止画像の中から上記動体画像検出手段によって検出された動体の画像部分に対応する対応部分を除く静止部分を検出し，
制御手段が，上記動体画像検出手段による処理，上記静止画撮像制御手段による処理および上記静止部分検出手段による処理を繰り返すように上記動体画像検出手段，上記静止画撮像制御手段および上記静止部分検出手段を制御し，
静止画生成手段が，上記制御手段の制御のもとに上記静止部分検出手段によって検出された複数の静止画の静止部分を合成して動体画像部分が除かれた１つの静止画を生成する，
撮像システムの動作制御方法。
【請求項１０】
それぞれが共通の撮像範囲を有する複数の撮像装置，
上記複数の撮像装置のうちの第１の撮像装置を用いて連続的に被写体を撮像して，動画を表す動画データを出力するように上記第１の撮像装置を制御する動画撮像制御手段，および
上記複数の撮像装置のうちの第２の撮像装置を用いて静止画撮像をして静止画像を表す静止画データを出力するように上記第２の撮像装置を制御する静止画撮像制御手段，
を備えたディジタル・カメラ。
【請求項１１】
ディジタル・カメラに，それぞれが共通の撮像範囲を有する複数の撮像装置を設け，
動画撮像制御手段が，上記複数の撮像装置のうちの第１の撮像装置を用いて連続的に被写体を撮像して，動画を表す動画データを出力するように上記第１の撮像装置を制御し，
静止画撮像制御手段が，上記複数の撮像装置のうちの第２の撮像装置を用いて静止画撮像をして静止画像を表す静止画データを出力するように上記第２の撮像装置を制御する，
ディジタル・カメラの動作制御方法。